(57)【要約】      （修正有）【課題】レールに吊り下げられ、スライドさせて使用するパネルカーテンにおいて、そのパネル部の左右両端が内側に巻き込むカール現象や下方への伸び現象を抑制し、同時にパネル部のデザインの刷新、傷みや色あせの解消を迅速、簡単にできる手段を有するパネルカーテンを提供する。【解決手段】パネル部１が装飾部材３と補強部材２とからなり、該補強部材２の上端がトップバーＴで、下端がボトムバーＢで保持されていて、装飾部材３が補強部材２に着脱自在に取り付けられており、また、装飾部材３が、補強部材２の周縁部に粘着剤で着脱自在に取り付けてパネルカーテンを形成する。【選択図】図２
0003179695.tif 000002
【実用新案登録請求の範囲】
【請求項１】
パネル部がシート状の装飾部材と補強部材とからなり、該補強部材の上端がトップバーで、下端がボトムバーで保持されていて、装飾部材が補強部材に着脱自在に取り付けられていることを特徴とするパネルカーテン。
【請求項２】
装飾部材が、補強部材の周縁部に粘着剤で着脱自在に取り付けられていることを特徴とする請求項１記載のパネルカーテン。
【請求項３】
装飾部材が、補強部材の両面に着脱自在に取り付けられていることを特徴とする請求項１記載のパネルカーテン。
【請求項４】
補強部材が、２枚で形成され、その間に装飾部材が鋏持されていることを特徴とする請求項１記載のパネルカーテン。
【請求項５】
補強部材が、透光性を有するメッシュ地であることを特徴とする請求項１、２、３及び４のいずれか１項に記載のパネルカーテン。
【請求項６】
補強部材が、柄模様を有するメッシュ地であることを特徴とする請求項１、２、３及び４のいずれか１項に記載のパネルカーテン。
【請求項７】
補強部材が、メッシュ地であり、その左右両端に一定幅の耳部を有していることを特徴とする請求項１記載のパネルカーテン。
【請求項８】
装飾部材が、紙材であることを特徴とする請求項１記載のパネルカーテン。
【考案の詳細な説明】
【技術分野】
【０００１】
本考案は、遮光や調光、間仕切りに使用するパネルカーテンに関し、詳しくは、パネル部が装飾部材と補強部材とで構成され、装飾部材が容易に取り替え可能なパネルカーテンを提供する。
【背景技術】
【０００２】
住宅やホテル、更には結婚式場等の各種施設のホール等では、遮光や調光用、間仕切り用としてパネルカーテンが用いられている。このパネルカーテンは、通常、複数枚が１セットで使用される。
そして、それぞれのパネルカーテンは、パネル部と、該パネル部の上端に取り付けられるトップバーと、下端に取り付けられるボトムバーとで形成される。
そして、トップバーに取り付けられたスライダーにより別に上方に設けられたレールに吊り下げられ、そのレールに沿ってスライド可能となっている。
【０００３】
パネルカーテンは、主として、大窓の遮光、調光用として、更には大きな部屋やホール等で間仕切り用として使用される。パネル部の素材としては、遮光機能が求められる場合にはドレープカーテンに用いられるような遮光カーテン生地が用いられる。
そして、調光機能が求められる場合には、一定量の日光や照明が透光可能な合成繊維や天然繊維を用いた織物や編物、更にはフィルム等が、単独で或いはラミネートされて用いられている。
【０００４】
上記ラミネートに関しては、例えば、特許文献１ではカーテン生地として、表地と裏地を熱融着性の接着剤シートで貼り合わせたものが示されている。
これらは遮光機能を有するカーテン生地に柄模様が施されていて、互いの柄模様が透けて阻害されることがない利点が主張されている。
【０００５】
一方、パネルカーテンの他の機能として、タペストリー風の装飾機能が求められる。
例えば、間仕切り用として使用する場合、パネル部には柄模様等が施され、適度な透光性を有することで、光が通過して柄模様が浮かび上がり、室内に柔らかな雰囲気を醸し出す。
【０００６】
このような室内の雰囲気作りのために工夫されたカーテン類としては、例えば特許文献２に示されるように、カーテンの縁取りであるトリム等を取り替え可能な構造にすることにより同じカーテンの生地であっても意匠に変化を与えて新たな室内雰囲気作りを可能にした手段が提案されている。
【先行技術文献】
【特許文献】
【０００７】
【特許文献１】特開２００６−７７５３４号公報
【特許文献２】特開２００６−１６７０５１号公報
【考案の概要】
【考案が解決しようとする課題】
【０００８】
上述したように、パネルカーテンは大窓の遮光や調光、ホール等の間仕切り用として使用され、併せて、タペストリー調の装飾機能も求められる。
パネル部の素材としては、適度な透光性を得るために薄手の織物や編物、フィルム等が用いられる。
特に風合いの良さから昨今では和紙類等の紙材が人気となっている。
【０００９】
そして、パネル部の下端に取り付けられるボトムバーは、重りとなってパネル部を下方に引き緊張させて安定させる機能を持つ。
【００１０】
ところで、パネル部に薄手の織物や編物、特に和紙等の紙材やフィルムを使用した場合、ボトムバーの重みによりパネル部が下方に引かれて、パネル部の上下中間部の左右両端が内側に巻き込むいわゆるカール現象が発生する。
また、和紙等の紙材であると湿気を吸った後、乾燥すると歪みが生じ易い。
一方では、ボトムバーの重みによりパネル部は下方に引かれて伸びる現象が発生することがある。
こうした場合、複数のパネルカーテンの個体差により、それぞれの伸びが異なり、長さの不揃いが生じ、カール現象と併せて見栄えの悪い形態安定性の悪いパネルカーテンとなる。
【００１１】
このような現象に対して、特許文献１ではカーテン地に表地と裏地２枚の素材を熱融着性の接着剤シートで貼り合わせたものを使用することが提案されている。
しかし、このような手段では一定の強度は得られるものの、表地と裏地が化学的に接着剤に耐え得る素材に限定されるし、表地と裏地を接着することで、接着乾燥後、かえって反ってしまうことや重くなる等の問題がある。
【００１２】
また、パネルカーテンは、通常、その使用期間が数年以上と長期にわたることが多く、デザインのマンネリ化が問題となり、その刷新が求められる。
特許文献２ではカーテンの縁に取り付けるトリムを交換できる提案がなされているが、縁取りの変化は得ることができるもののカーテン全体の柄模様が変化するものではなく決定的な解決手段とはなり得ず、そのままパネルカーテンに応用できるものではない。
また、擦れ等による装飾部材の傷みや色あせ等の問題もある。
【００１３】
本考案は、従来のパネルカーテンが有していた上記のごとき問題を解決すべくなされたものである。
すなわち、本考案の目的は、パネルカーテンのパネル部に発生するカール現象や伸び現象を抑制し、同時にデザインのマンネリ化や、傷みや色あせを容易に解消できるパネルカーテンを提供するところにある。
【課題を解決するための手段】
【００１４】
上記課題を解決するために鋭意、研究した結果、装飾部材とそれを補強する機能を有する補強部材とを区別して設けることにより、従来の問題点を解決できることを見出し、この知見により本考案を想到するに至ったものである。
【００１５】
即ち、本考案は、（１）、パネル部がシート状の装飾部材と補強部材とからなり、該補強部材の上端がトップバーで、下端がボトムバーで保持されていて、装飾部材が補強部材に着脱自在に取り付けられているパネルカーテンに存する。
【００１６】
即ち、本考案は、（２）、装飾部材が、補強部材の周縁部に粘着剤で着脱自在に取り付けられている上記（１）記載のパネルカーテンに存する。
【００１７】
即ち、本考案は、（３）、装飾部材が、補強部材の両面に着脱自在に取り付けられている上記（１）記載のパネルカーテンに存する。
【００１８】
即ち、本考案は、（４）、補強部材が、２枚で形成され、その間に装飾部材が鋏持されている上記（１）記載のパネルカーテンに存する。
【００１９】
即ち、本考案は、（５）、補強部材が、透光性を有するメッシュ地である上記（１）、（２）、（３）、及び（４）のいずれか１つに記載のパネルカーテンに存する。
【００２０】
即ち、本考案は、（６）、補強部材が、柄模様を有するメッシュ地である上記（１）、（２）、（３）、及び（４）のいずれか１つに記載のパネルカーテンに存する。
【００２１】
即ち、本考案は、（７）、補強部材が、メッシュ地であり、その左右両端に一定幅の耳部を有している上記（１）記載のパネルカーテンに存する。
【００２２】
即ち、本考案は、（８）、装飾部材が紙材である上記（１）記載のパネルカーテンに存する。
【００２３】
なお、本考案の目的に沿ったものであれば上記（１）〜（８）を適宜組み合わせた構成も採用可能である。
【考案の効果】
【００２４】
本考案のパネルカーテンは、パネル部がシート状の装飾部材と補強部材とからなり、装飾部材が補強部材に着脱自在に取り付けられているので、それぞれの部材の最適な選択により装飾部材、並びに補強部材が有すべき機能強化を図りやすい利点がある。
加えて、補強部材のみが、その上下端をトップバーとボトムバーとで保持されているので、装飾部材の交換が極めて容易である利点がある。
【００２５】
また、補強部材には透光性を有するメッシュ地を使用しているので装飾部材が有する素材感や柄模様を阻害しない利点がある。
更に、装飾部材を補強部材に取り付ける手段に粘着剤を使用しているので、装飾部の着脱が容易であると共に一定の柔軟性を維持していて使用に不便がない。
【００２６】
そして、補強部材のメッシュ地の左右両端に一定幅の耳部が形成されている場合には、その補強部材の左右両端の強度や剛性（保形性）が向上し、カール現象や伸び現象を防止できる効果と、耳部における角目メッシュ地の穴目が埋められ、粘着剤の貼り付けの際の粘着力の向上に効果があり、粘着剤の剥がれ現象を防止できる。
【図面の簡単な説明】
【００２７】
【図１】図１は、第１の実施の形態におけるパネルカーテンを概略的に示す正面図である。
【図２】図２は、第１の実施の形態におけるパネル部を示す斜視図であり、（Ａ）は、そのパネル部の組み立て説明図であり、（Ｂ）は、組み立て後のパネル部を示す。
【図３】図３は、第２の実施の形態における耳部Ｅを有するパネル部を概略的に示す正面図である。
【図４】図４は、第３の実施の形態における補強部材の両面に装飾部材を有するパネル部の組み立て説明図である。
【図５】図５は、第４の実施の形態における２枚の補強部材を有するパネル部の組み立て説明図である。
【図６】図６は装飾部材が２枚の補強部材の間に挿入された後の状態を示すパネル部の斜視図である。
【図７】図７は、装飾部材３を２枚とした場合のパネル部の組み立て説明図である。
【考案を実施するための形態】
【００２８】
以下、必要に応じて図面を参照しつつ、本考案の好適な実施形態について詳細に説明する。
【００２９】
（第１の実施の形態）
図１は、第１の実施の形態におけるパネルカーテンＰを概略的に示す正面図である。
また図２は、第１の実施の形態におけるパネル部１を示す斜視図であり、図２（Ａ）は、そのパネル部１の組み立て説明図であり、図２（Ｂ）は、組み立て後のパネル部を示す。
本実施の形態におけるパネルカーテンＰは、図１に示すように、パネル部１が長方形で、その上端をトップバーＴで、下端をボトムバーＢで保持されている。
そして、トップバーＴに取り付けたスライダーＳによりレールＲに沿って自在にスライドする構成となっている。
パネル部１は、図２に示すようにシート状の装飾部材３と補強部材２のいわば２系列となっていて、補強部材２のみがその上下端をトップバーＴ、並びにボトムバーＢで保持されている。
【００３０】
このシート状の補強部材２の上下左右の周縁に、例えば、約２ｃｍ幅の粘着性両面テープＣが貼られている。そして、この粘着性両面テープＣに装飾部材３が貼り付けられる（尚、貼り付け方向を矢印で示す）。
装飾部材３は、トップバーＴとボトムバーＢ間に隙間なく貼られるので、補強部材２は完全に装飾部材３で被覆され、あたかも装飾部材３のみで構成されているパネル部１の外観を呈する。
【００３１】
補強部材２には、メッシュ地、例えばラッシェル機で編成される角目メッシュ地、を使用している。
角目の１辺が約２〜３ｍｍの略正方形状のものを採用し、編成糸として、例えば７５ｄｔｅｘ／３６ｆのポリエステル糸を使用している。
【００３２】
装飾部材３には、ここでは和紙等の紙材を用いている。
紙材は、補強部材２であるメッシュ地が通気性を有する場合、大気に湿気を吸収又は放出する機能を発揮する。
この紙材は無地調でも良いし、例えば、柄模様Ｇを漉き込むことも可能である。
照明や日光により、その柄模様Ｇが浮き出て室内に穏やかな雰囲気を醸し出す。
そして、装飾部材３は補強部材２にテープＣを使って固定されているので季節や使用目的に応じて容易に取り替えることができる。
装飾部材３が、紙材やフィルムのように比較的、腰のない素材であっても、強度と適度な剛性（保形性）を有する補強部材２により安定した状態に保たれ、カール現象や伸び現象が抑制され美観を損ねない。
この実施の形態のパネル部１において、シート状の補強部材２と装飾部材３との下端部を挟むようにボトムバーＢを取り付けて保持することも可能である。
【００３３】
（第２の実施の形態）
図３は、第２の実施の形態における耳部Ｅを有するパネル部１を概略的に示す正面図である。
本実施の形態で示すパネルカーテンＰは、その構成は第１の実施の形態で示したパネルカーテンと同様であるが、図に示すように、パネル部１の補強部材２として使用する角目メッシュ地の左右両端に一定幅の耳部Ｅが形成されている。
この耳部Ｅは、ラッシェル機により編成される際に、編成糸によって角目メッシュ地の角目を埋める組織を用いて形成される。
【００３４】
編成時に耳部Ｅを形成することで、耳部Ｅを他の素材を使って後付けする方法に比べて耳部Ｅの盛り上がりがなく、工程の簡略化や仕上げの見栄えが良い利点が得られる。
また、耳部Ｅは、粘着性両面テープＣの幅と同幅に形成されていて耳部Ｅの角目が埋められ密度が大きくなっているので、粘着性両面テープＣを耳部Ｅに貼り付ける際、粘着強度が大きくなり、補強部材２に粘着性両面テープＣが確実に粘着することとなり剥がれ防止に大きな効果がある。
更に、耳部Ｅの形成は補強部材２の左右両端の剛性と強度を上げるので、保形性も増しカール現象や伸び現象を一層、抑える効果も得られる。
【００３５】
（第３の実施の形態）
図４は、第３の実施の形態における補強部材２の両面に装飾部材３、３１を有するパネル部１の組み立て説明図である。
本実施の形態におけるパネルカーテンＰは、図に示すように、パネル部１の補強部材２の両面に装飾部材３、３１が貼り付けられている（尚、貼り付け方向を矢印で示す）。
その構成は、第１の実施の形態と同様であるが、補強部材２の両面の周縁に粘着性両面テープＣが貼り付けられ、表裏それぞれに和紙製の装飾部材３、３１が貼り付けられる。
２枚の装飾部材３、３１のデザインは全く同様のものであっても良いし、異なるものでもあっても良い。
このように補強部材２の両面に装飾部材３、３１を貼り付けることで、例えばホールの中央に本パネルカーテンＰを設置した際、両側に装飾部材３、３１が相対することとなり、間仕切り用として極めて都合が良い。
【００３６】
（第４の実施の形態）
図５は、第４の実施の形態における２枚の補強部材２、２１を有するパネル部１の組み立て説明図である。
本実施の形態では、図に示すように、２枚の補強部材２、２１で構成する。左右両端のいずれか一方、または両方に開口部Ｄを有し、この開口部Ｄから装飾部材３を挿入（矢印）して挟持させる。
【００３７】
図６は装飾部材３が２枚の補強部材２、２１の間に挿入された後の状態を示すパネル部１である。
補強部材には、１辺が、例えば、約３〜５ｍｍの角目メッシュ地を採用して充分な透光性を確保することで、補強部材２、２１の存在が装飾部材３の柄模様や風合いを損なわないようにしている。
この場合、装飾部材３を複数枚とすることができるが、図７は、装飾部材３を２枚とした場合の、パネル部１の組み立て説明図を示す図である。
このように、装飾部材３を２枚とすることで、パネルカーテンＰの両面に異なった模様を付与することができる。
【００３８】
本形態の補強部材２には、無地の角目メッシュ地の他、編成時に角目メッシュ地に柄模様を付与したジャガードメッシュ地が採用できる。
無地の角目メッシュ地の場合は、装飾部材３の柄模様がそのまま強調されるし、柄模様を有するジャガードメッシュ地の場合は、装飾部材３が有する風合いや柄模様にジャガードメッシュ地の柄模様が加味されて特段の装飾効果が得られる。
【００３９】
上記第１、第２、第３、第４の実施の形態で使用している補強部材２のメッシュ地としては、９〜１８ゲージのラッシェル機で編成される角目メッシュ地を採用している。
ここで、ゲージとは１インチ間に存在する編み針の本数を言う。
９ゲージに比較して、例えば１８ゲージは、編み針が多くなり細かな目のメッシュ地を編成することができる。
目的に応じたゲージを有するラッシェル機を使用することができる。
【００４０】
以上、本考案をその実施の形態を例に説明したが、本考案はその本質に変更のない限り、実施の形態のみに限定されるものではなく多様な変形例が可能である。
例えば、補強部材２としては、ラッシェル機による角目メッシュ地に限らず、６角メッシュ地やチュールメッシュ地の他、織地、溶着ネット等が採用可能である。
要は透光性（透けて見える）を有するもので、補強力のあるものが採用される。また通気性のあるものも含まれる。
また補強部材２を構成する糸の形態としては、フィラメント糸、紡績糸、分繊糸、熱融着糸等種々の形態があり、その材質も問わない。
【００４１】
耳部Ｅの形成については、パネル部１の左右両端に限らず、上下端にも形成可能であるし、補強部材２の両端の耳部Ｅと同様のものを補強部材２の所要箇所にストライプ調に設けることで装飾的な効果や更なる強度向上を得ることができる。
また、装飾部材３の素材についても、和紙に限らず、各種フィルム、織物、編物等の採用が可能である。
更に、補強部材２への装飾部材３の着脱手段について、粘着性両面テープＣ等に限らず、マジックテープ（登録商標）やその他の取り付け手段の採用が可能であることは言うまでもない。
また、粘着剤を介してもよい。
【産業上の利用可能性】
【００４２】
本考案に係るパネルカーテンＰは、他のいかなる形態のパネルカーテンＰにも採用可能であるし、間仕切り用の衝立や壁飾り等にも採用できる。
また、使用素材を選択することで、室内に限らず、広告用の垂れ幕や看板等、屋外においても使用可能である。
【符号の説明】
【００４３】
１・・・パネル部
２・・・補強部材
２１・・・補強部材
３・・・装飾部材
３１・・・装飾部材
Ｂ・・・ボトムバー
Ｅ・・・耳部
Ｇ・・・柄模様
Ｐ・・・パネルカーテン
Ｓ・・・スライダー
Ｔ・・・トップバー
Ｒ・・・レール
【図１】
0003179695.tif 000003
【図２】
0003179695.tif 000004
【図３】
0003179695.tif 000005
【図４】
0003179695.tif 000006
【図５】
0003179695.tif 000007
【図６】
0003179695.tif 000008
【図７】
0003179695.tif 000009